(57)【要約】【課題】  映像信号のブランキング期間に影響されることが無く、連続なドットクロックが低コスト、省スペースで得られる映像表示システムを提供すること。【解決手段】  映像信号出力装置は、使用する周波数より数逓倍のドットクロックを生成するPLL部１３と、数逓倍のドットクロックを映像信号全体に重畳させて重畳信号を生成する重畳器１６とを備え、モニタ２は、フィルタ回路により重畳信号から数逓倍化したドットクロックを抽出するB.P.F部２３と、フィルタ回路により重畳信号から映像信号を抽出するB.E.F部２２と、数逓倍化したドットクロックを使用する周波数に変換する1/3カウンタ２５とを備えた。【選択図】        図１
2005173145.tif 000002
【特許請求の範囲】
【請求項１】
映像信号出力装置から映像信号をモニタに送って映像を表示させる映像表示システムにおいて、
前記映像信号出力装置は、
使用する周波数より数逓倍のドットクロックを生成するドットクロック生成手段と、
数逓倍のドットクロックを映像信号全体に重畳させて重畳信号を生成する重畳手段と、
を備え、
前記モニタは、
フィルタ回路により前記重畳信号から数逓倍化したドットクロックを抽出するドットクロック抽出手段と、
フィルタ回路により前記重畳信号から映像信号を抽出する映像信号抽出手段と、
数逓倍化したドットクロックを使用する周波数に変換する変換手段と、
を備え、
たことを特徴とする映像表示システム。
【請求項２】
車載された映像信号出力装置から映像信号を、車載されたモニタに送って映像を表示させる映像表示システムにおいて、
前記映像信号出力装置は、
使用する周波数より数逓倍のドットクロックを生成するドットクロック生成手段と、
数逓倍化したドットクロックと、アナログ化した映像信号全体とを重畳させて重畳信号を生成する重畳器による重畳手段と、
を備え、
前記モニタは、
所定の周波数成分を通過させるフィルタ回路により前記重畳信号から数逓倍化したドットクロックを抽出するドットクロック抽出手段と、
所定の周波数成分を通過させないフィルタ回路により前記重畳信号から映像信号を抽出する映像信号抽出手段と、
数逓倍化したドットクロックを使用する周波数に変換する変換手段と、
を備え、
たことを特徴とする映像表示システム。
【発明の詳細な説明】
【技術分野】
【０００１】
本発明は、モニタに映像信号を送って表示をさせる映像表示システムの技術分野に属し、特に車載するものに有効である。
【背景技術】
【０００２】
従来の映像表示システムは、映像信号のブランキング期間に同期クロックを重畳して重畳信号を生成し、映像信号出力装置から接続コードを介して、重畳信号を水平同期信号及び垂直同期信号と共に映像表示装置に伝送し、映像表示装置において、重畳信号から同期クロックを抽出し、同期クロックに位相同期させたドットクロックを用いて、映像信号の表示タイミングを制御している（例えば、特許文献１参照。）。
【特許文献１】特開２００１−３３１１４１号公報（第２−８頁、全図）
【発明の開示】
【発明が解決しようとする課題】
【０００３】
しかしながら、従来の映像表示システムにあっては、同期クロックを映像信号のブランキング期間に重畳しているため、同期クロックはブランキング毎のバースト状の波形となるため、回路規模が大きくなってしまい、コスト及びスペースの観点から好ましくない。
【０００４】
本発明は、上記問題点に着目してなされたもので、その目的とするところは、映像信号のブランキング期間に影響されることが無く、連続なドットクロックが低コスト、省スペースで得られる映像表示システムを提供することにある。
【課題を解決するための手段】
【０００５】
上記目的を達成するため、本発明では、映像信号出力装置から映像信号をモニタに送って映像を表示させる映像表示システムにおいて、前記映像信号出力装置は、使用する周波数より数逓倍のドットクロックを生成するドットクロック生成手段と、数逓倍のドットクロックを映像信号全体に重畳させて重畳信号を生成する重畳手段と、を備え、前記モニタは、フィルタ回路により前記重畳信号から数逓倍化したドットクロックを抽出するドットクロック抽出手段と、フィルタ回路により前記重畳信号から映像信号を抽出する映像信号抽出手段と、数逓倍化したドットクロックを使用する周波数に変換する変換手段と、を備え、たことを特徴とする。
【発明の効果】
【０００６】
よって、請求項１記載の発明にあっては、映像信号とドットクロックが共通の信号となるために伝送線路が削減でき、映像信号のブランキング期間に影響されることなく、連続なドットクロックを低コスト、省スペースで得ることができる。
【発明を実施するための最良の形態】
【０００７】
以下、本発明の映像表示システムを実現する実施の形態を、請求項１，２に係る発明に対応する実施例１に基づいて説明する。
【実施例１】
【０００８】
まず、構成を説明する。
図１は実施例１の映像表示システムの映像信号出力装置及びモニタのブロック図である。図２は実施例１の映像表示システムの車両への搭載状態を示す説明図である。図３は実施例１の映像表示システムの映像信号出力装置における信号波形処理を示す説明図である。図４は実施例１の映像表示システムのモニタにおけるドットクロックを抽出する信号波形処理を示す説明図である。図５は実施例１の映像表示システムのモニタにおける映像信号を抽出する信号波形処理を示す説明図である。図６は実施例１の映像表示システムの映像信号出力装置のL.P.F部の構成例を示す回路図である。図７は実施例１の映像表示システムのモニタのB.P.F部の構成例を示す回路図である。図８は実施例１の映像表示システムのモニタの増幅回路の構成例を示す回路図である。図９は実施例１の映像表示システムのモニタのB.E.F部の構成例を示す回路図である。
【０００９】
実施例１の映像表示システムは、映像信号出力装置１とモニタ２を主要な構成とし、図２に示すように車室内Ｃに映像信号出力装置１とモニタ２を設けて、車載される映像表示システムにしている。
映像信号出力装置１は、図１に示すように、画像制御部１１、ビデオメモリ１２、PLL部１３、D/Aコンバータ１４、L.P.F部１５、重畳器１６を主な構成にしている。
【００１０】
画像制御部１１は、ビデオメモリ１２との入出力によって、画像を生成し、PLL部１３からのドットクロックに同期させてデジタルな映像信号をD/Aコンバータ１４に出力するとともに、ドットクロックに同期させて水平同期信号と垂直同期信号をモニタ２に出力する。
ビデオメモリ１２は、画像生成に必要なデータを記憶し、必要に応じて画像制御部１１に出力する。
PLL部１３は、所定の周波数信号であるドットクロックを生成して画像制御部１１に出力すると共に、そのドットクロックに同期した３逓倍（３倍の周波数）のドットクロックをL.P.F部１５に出力する。
【００１１】
D/Aコンバータ１４は、画像制御部１１からのデジタルの映像信号をアナログの映像信号に変換し、Ｒ信号、Ｇ信号はそのままモニタ２に出力し、Ｂ信号を重畳器１６に出力する。
L.P.F部１５は、低周波数成分を通過させるようにして３逓倍化したドットクロックの基本波成分だけを重畳器１６に送る。
L.P.F部１５の回路構成例としては図６に示すように、抵抗R1、コイルL1,L2を直列に接続し、抵抗R1とコイルL1の間にコンデンサC1の一方を接続し、コイルL1，L2の間にコンデンサC2の一方を接続し、コイルL2の信号アウトプット側にコンデンサC3の一方を接続して構成する。
重畳器１６は、D/Aコンバータ１４からのアナログの映像信号のうちのＢ信号と、L.P.F部１５からの３逓倍化したドットクロックから重畳信号を生成しモニタ２に送る。
【００１２】
モニタ２は、図１に示すように、映像処理回路２１、B.E.F部２２、B.P.F部２３、増幅回路２４、1/3カウンタ２５、LCD制御回路２６、LCDパネル２７を主な構成にしている。
映像処理回路２１は、入力された映像信号を処理して、その映像信号に応じてLCDパネル２７に制御信号を出力する。
【００１３】
B.E.F部２２は、入力される重畳信号から、３逓倍化したドットクロックだけを通さないようにして、映像信号のＢ信号だけを通過させて映像処理回路２１に出力する。
B.E.F部２２の回路構成例として、図９に示すように、コンデンサC7,C8を直列に接続し、コンデンサC7,C8をブリッジするようにコイルL5,L6を設け、コンデンサC7,C8間にコイルL7とコンデンサC9を直列に設けたものの一方を接続し、コンデンサC8とアウトプット側との間に抵抗R4の一端を接続したものを挙げておく。
【００１４】
B.P.F部２３は、入力される重畳信号から、３逓倍化したドットクロックだけを通過させて、増幅回路２４に出力する。
B.P.F部２３の回路構成例として、図７に示すように、コイルL3とコンデンサC5を直列に接続し、インプットとコイルL3の間にコンデンサC4の一方を接続し、コンデンサC4の接続点とコイルL3の間にコイルL4の一方を接続し、コンデンサC5とアウトプットの間に抵抗R2の一方を接続したものを挙げておく。
増幅回路２４は、入力された３逓倍化したドットクロックを増幅して1/3カウンタ２５に出力する。
増幅回路２４の回路構成例として、図８に示すように、コンデンサC6、否定回路NOT1、否定回路NOT2を直列に接続し、否定回路NOT1をブリッジして抵抗R3を設けたものを挙げておく。
1/3カウンタ２５は、３逓倍化したドットクロックの周波数を1/3にダウンさせ、映像信号、水平同期信号、垂直同期信号に同期させた元のドットクロックに変換して出力する。
【００１５】
LCD制御回路２６は、入力されるドットクロック、水平同期信号、垂直同期信号を処理して、LCDパネル２７が映像を表示するのに必要なドットクロック、水平同期基準信号、垂直同期基準信号をLCDパネル２７に出力する。
LCDパネル２７は、映像を表示させるドットごとの表示を入力されるドットクロックに同期させ、入力されるＲ信号、Ｇ信号、Ｂ信号により各ドットを表示させ、その水平方向の表示を水平同期基準信号に同期させ、その垂直方向の表示を垂直同期基準信号に同期させる。
【００１６】
次に、作用を説明する。
【００１７】
［伝送経路を削減し良質な画像を表示する作用］
実施例１の映像表示システムにおいて、モニタ２に映像を表示させる処理を図３〜図５の信号を示す説明図を用いて説明する。
〈1〉映像信号出力装置からモニタへの出力
映像信号出力装置１の画像制御部１１では、PLL部１３の図３(a)に示すドットクロックを用いて図３(b)に示す映像信号のＢ信号を生成し、D/Aコンバータ１４に出力する。
また、PLL部１３では、図３(a)に示すドットクロックを３逓倍した図３(c)に示す３逓倍ドットクロックを出力し、L.P.F部１５を通過させることにより図３(d)に示す３逓倍ドットクロックに対応したアナログ波形を得る。
【００１８】
次に、重畳器１６により、図３(b)に示すアナログ化された映像信号のＢ信号と、図３(d)に示す３逓倍ドットクロックに対応したアナログ波形を加算して図３(e)に示す重畳信号を生成して、モニタ２へ出力する。
このように実施例１の映像表示システムでは、ドットクロックと映像信号を１本の信号線で送るため、伝送線路が削減される。
【００１９】
〈2〉モニタにおけるドットクロックの抽出処理
モニタ２では、重畳信号が入力されると、B.P.F部２３とB.E.F部２２でそれぞれ重畳信号を処理する。
B.P.F部２３では、図４(a)に示す重畳信号の特定周波数成分のみを通過させるようにして、重畳信号から図４(b)に示す３逓倍ドットクロック信号を抽出して出力する。
【００２０】
次に、B.P.F部２３からの３逓倍ドットロック信号を増幅回路２４で増幅するようにして、３逓倍ドットクロック信号を波形整形（デジタル信号化）した図４(c)に示す信号を出力する。
次に、1/3カウンタ２５により、３逓倍ドットクロック信号の周波数を1/3にするようにして、ドットクロック信号をLCD制御回路２６に出力する。
これにより、LCD制御回路２６からLCDパネル２７へドットクロック信号、水平同期信号、垂直同期信号が出力され、同期ズレのないタイミングで映像の表示を行う。
また、これにより、連続したドットクロックを得る。さらに、重畳化は映像信号全体に行われるため、映像信号のブランキング期間などに左右されることがない。
【００２１】
〈3〉モニタによる映像信号の抽出処理
B.E.F部２２では、図５(a)に示す重畳信号の特定周波数成分のみを通過させないようにして、重畳信号から図５(b)に示す映像信号を抽出する。
これにより、良好な映像信号を得る。
【００２２】
次に、効果を説明する。
実施例１の映像表示システムにあっては、下記に列挙する効果を得ることができる。
(1)映像信号出力装置から映像信号をモニタに送って映像を表示させる映像表示システムにおいて、映像信号出力装置は、使用する周波数より数逓倍のドットクロックを生成するPLL部１３と、数逓倍のドットクロックを映像信号全体に重畳させて重畳信号を生成する重畳器１６とを備え、モニタ２は、フィルタ回路により重畳信号から数逓倍化したドットクロックを抽出するB.P.F部２３と、フィルタ回路により重畳信号から映像信号を抽出するB.E.F部２２と、数逓倍化したドットクロックを使用する周波数に変換する1/3カウンタ２５とを備えたため、伝送経路を削減でき、映像信号の各画素との同期が取れ、各線路での郡遅延特性の差異による、波形のなまり、時間軸上での揺らぎが発生しないようにできる。
【００２３】
また、映像信号とドットクロックの重畳化においては、映像信号全体に行うため、重畳化のための映像信号の特定部分への同期取りや、重畳信号からドットクロックを一部しか再現できないために必要な再現化などの処理を行う必要がなく、これら処理により生じる誤差を排除でき、よって映像品質を向上でき、これら処理のための回路構成を省くことができるためコストが低減できる。
また、車載される装置においては、他の車載機器や車外もしくは車両と情報を入出力するため、伝送経路はかなり多いものとなる。また、車載機器の数も多い。これは、車両のデザインに影響を与え、他に用いるためのスペースを占有してしまうことになったりする。よって、車載される映像表示システムの伝送経路を削減できることは、車両に取って重要な効果となる。
【００２４】
(2)車載された映像信号出力装置から映像信号を、車載されたモニタに送って映像を表示させる映像表示システムにおいて、映像信号出力装置は、使用する周波数より数逓倍のドットクロックを生成するPLL部１３と、数逓倍化したドットクロックと、アナログ化した映像信号全体とを重畳させて重畳信号を生成する重畳器１６とを備え、モニタ２は、所定の周波数成分を通過させるフィルタ回路により重畳信号から３逓倍化したドットクロックを抽出するB.P.F部２３と、所定の周波数成分を通過させないフィルタ回路により重畳信号から映像信号を抽出するB.E.F部２２と、３逓倍化したドットクロックを使用する周波数に変換する1/3カウンタ２５とを備えたため、(1)と同様の効果を有するとともに、所定周波数成分を通過させるフィルタと、所定周波数を通過させないフィルタにそれぞれ重畳信号を通過させることで、重畳信号からドットクロックと映像信号をコストを抑制して簡単に抽出することができる。
【００２５】
以上、本発明の映像表示システムを実施例１に基づき説明してきたが、具体的な構成については、これらの実施例に限られるものではなく、特許請求の範囲の各請求項に係る発明の要旨を逸脱しない限り、設計の変更や追加等は許容される。
【００２６】
例えば、実施例１では、映像信号のＢ信号を重畳信号にしたが、Ｒ信号やＧ信号であってもよい。
【図面の簡単な説明】
【００２７】
【図１】実施例１の映像表示システムの映像信号出力装置及びモニタのブロック図である。
【図２】実施例１の映像表示システムの車両への搭載状態を示す説明図である。
【図３】実施例１の映像表示システムの映像信号出力装置における信号波形処理を示す説明図である。
【図４】実施例１の映像表示システムのモニタにおけるドットクロックを抽出する信号波形処理を示す説明図である。
【図５】実施例１の映像表示システムのモニタにおける映像信号を抽出する信号波形処理を示す説明図である。
【図６】実施例１の映像表示システムの映像信号出力装置のL.P.F部の構成例を示す回路図である。
【図７】実施例１の映像表示システムのモニタのB.P.F部の構成例を示す回路図である。
【図８】実施例１の映像表示システムのモニタの増幅回路の構成例を示す回路図である。
【図９】実施例１の映像表示システムのモニタのB.E.F部の構成例を示す回路図である。
【符号の説明】
【００２８】
１  映像信号出力装置
１１  画像制御部
１２  ビデオメモリ
１３  PLL部
１４  D/Aコンバータ
１５  L.P.F部
１６  重畳器
２  モニタ
２１  映像処理回路
２２  B.E.F部
２３  B.P.F部
２４  増幅回路
２５  1/3カウンタ
２６  LCD制御回路
２７  LCDパネル
C1〜C9  コンデンサ
L1〜L7  コイル
R1〜R4  抵抗
NOT1,NOT2  否定回路
【図１】
2005173145.tif 000003
【図２】
2005173145.tif 000004
【図３】
2005173145.tif 000005
【図４】
2005173145.tif 000006
【図５】
2005173145.tif 000007
【図６】
2005173145.tif 000008
【図７】
2005173145.tif 000009
【図８】
2005173145.tif 000010
【図９】
2005173145.tif 000011